(57)【特許請求の範囲】
【請求項１】
ターゲットと、
前記ターゲットが配設されるターゲット配設部と、
前記ターゲットの配設面に平行な面内、及び、前記配設面に直交する面内で回転自在に前記ターゲットを前記ターゲット配設部に支持したターゲット支持部と、
前記配設面に設けられ、前記ターゲット配設部の水平面に対する角度を表示する水準器と、
前記ターゲット配設部から前記配設面と反対側に向けて前記配設面に直交する方向に延びた脚部と、
弾塑性体から形成され、使用者に把持される把持部と前記ターゲット配設部とを連結する連結部とを備えることを特徴とする測量用ターゲット支持具。
【請求項２】
前記水準器は、前記ターゲットの配設面の延設方向に沿って移動自在に配置されていることを特徴とする請求項１に記載の測量用ターゲット支持具。
【請求項３】
前記ターゲット配設部には、前記脚部の延出方向に前記ターゲット配設部を貫通した脚部確認孔が形成されていることを特徴とする請求項１又は２に記載の測量用ターゲット支持具。
【発明の詳細な説明】
【技術分野】
【０００１】
本発明は、測量用ターゲットの支持具に関する。
【背景技術】
【０００２】
測量は、下記の特許文献１に示すように、既知点に設置された測量機から測定点に立設されたターゲットに測距光を照射して行われる。ターゲットは入射光を反射する反射プリズムであり、ポールが支持具として用いられていた。ポールは、水準器の表示が水平に保たれるよう鉛直に保持され、反射プリズムでの反射光が測量機に入射する様に向きが調整される。
【０００３】
【特許文献１】特開２００５−２２７１６６号公報
【発明の開示】
【発明が解決しようとする課題】
【０００４】
上記従来のターゲット支持具では、壁面の交差箇所にある観測点やブロック塀等の障害物の下にある観測点に設置できなかった。このため、ターゲット支持具から反射プリズムを取り外して測針器を取り付け、測針器の先端を観測点に設置して反射プリズムを手で支持しなければならなかった。
【０００５】
本発明は、このような事情に鑑み、様々な観測点で測定を行うことができる測量用ターゲット支持具を提供することを目的とする。
【課題を解決するための手段】
【０００６】
このような課題を解決するために、本発明の測量用ターゲット支持具は、ターゲットと、前記ターゲットが配設されるターゲット配設部と、前記ターゲットの配設面に平行な面内、及び、前記配設面に直交する面内で回転自在に前記ターゲットを前記ターゲット配設部に支持したターゲット支持部と、前記配設面に設けられ、前記ターゲット配設部の水平面に対する角度を表示する水準器と、前記ターゲット配設部から前記配設面と反対側に向けて前記配設面に直交する方向に延びた脚部と、弾塑性体から形成され、使用者に把持される把持部と前記ターゲット配設部とを連結する連結部と備えることを特徴とする。
また、本発明は、前記水準器が、前記ターゲットの配設面の延設方向に沿って移動自在に配置されていることを特徴とする。
また、本発明は、前記ターゲット配設部には、前記脚部の延出方向に前記ターゲット配設部を貫通した脚部確認孔が形成されていることを特徴とする。
【発明の効果】
【０００７】
本発明によれば、ターゲットをターゲット配設部に対し様々な角度に向けられるので、ターゲットを取り外さずに様々な観測点で測定を行うことができる。
【図面の簡単な説明】
【０００８】
【図１】本発明の一実施形態の測量用ターゲット支持具を示す図である。
【図２】図１のターゲット配設部を拡大して示す図である。
【図３】図１のターゲット支持部を拡大して示す図である。
【図４】図１の回転軸及び脚部を拡大して示す図である。
【図５】回転軸に装着される脚部を示す図である。
【図６】ターゲット支持部の動作を示す第１の図である。
【図７】ターゲット支持部の動作を示す第２の図である。
【図８】測量用ターゲット支持具を用いた測定方法の例を示す図である。
【図９】ターゲット配設部の変形例を示す図である。
【図１０】ターゲット支持部の変形例を示す図である。
【図１１】ターゲット支持部の変形例を示す図である。
【発明を実施するための最良の形態】
【０００９】
以下、本発明の実施形態を図面に基づいて説明する。
図１は本発明の一実施形態の測量用ターゲット支持具１を示す図である。
【００１０】
図１に示すように、測量用ターゲット支持具１は、ターゲット２と、ターゲット２が配設されるターゲット配設部３と、ターゲット２をターゲット配設部３に支持したターゲット支持部４と、使用者に把持される把持部５と、ターゲット配設部３と把持部５とを連結する連結部６と、観測点に立てられる脚部７とを備えている。
【００１１】
ターゲット２は、入射光を反射する反射プリズムである。ターゲット配設部３は、図２に示すように、後述する回転軸４４が挿通される取付孔３１が長手方向の一端部を貫通しており、平板状を呈している。ターゲット配設部３の上面には、水平面に対するターゲット配設部３の角度を表示する水準器３２が取り付けられている。水準器３２は、気泡管で構成されている。ターゲット配設部３には、ターゲット配設部３を貫通した脚部確認孔３３が形成されている。脚部確認孔３３は、ターゲット配設部３の長手方向にスリット状に延びている。
【００１２】
ターゲット支持部４は、図３に示すように、ターゲット２が固定される固定部４１と、回転軸４４に連結された回転部４２とを備えている。固定部４１は、平板体をコの字状に屈曲させた形状を有している。固定部４１は、ターゲット配設部３の上面に直交する面内で回転自在に、支持軸４３で回転部４２に支持されている。支持軸４３は、外周面に雄ネジ部を備えており、固定部４１の両側に固定されている。支持軸４３は、測量機でターゲット２を観測する際の基準位置となる。
【００１３】
回転部４２は、平板体をコの字状に屈曲させた形状を有している。回転部４２は、ターゲット配設部３の上面に沿って回転自在に回転軸４４でターゲット配設部３に連結されている。回転部４２の両側には、支持軸４３が挿通される貫通孔が形成されている。回転部４２は、支持軸４３の雄ネジ部に螺着されたナット４３１で固定部４１に押し付けられ、固定部４１に対して固定される。
【００１４】
回転軸４４は、取付孔３１に挿通される縮径部と、回転部４２の挿通孔４２１に挿通される縮径部とを備えた円筒体から構成されている。回転軸４４の内面には、図４に示すように、雌ネジ部４４１が設けられている。回転軸４４は、脚部７が装着される脚部装着部となっている。
【００１５】
脚部７は、一端が縮径しており、他端には雄ネジ部７１が形成されている。脚部７は、雄ネジ部７１が回転軸４４の雌ネジ部４４１に螺着されて、回転軸４４に装着される。回転軸４４に装着された脚部７は、ターゲット配設部３から下方に向けて延びている。
【００１６】
なお、回転軸４４には、図５に示す長さが異なる脚部７Ａ，７Ｂ、先端が側方に屈曲した脚部７Ｃのような長さや形状が異なる複数種類の脚部の中から１つを選び、上述した脚部７に代えて装着することができる。これらの交換用の脚部７Ａ〜７Ｃは、把持部５に設けられた収納部５１（図１参照）に収納することができる。
【００１７】
連結部６は、自由に曲げたり延ばしてその形状を維持させられるように、針金のような弾塑性体から形成されている。このため、連結部６が変形させられるのに伴い、把持部５に対するターゲット配設部３の向きも変化する。連結部６は、ターゲット配設部３及び把持部５の貫通孔に挿通された雄ネジ部材６１の頭部と、雄ネジ部材６１に螺合した雌ネジ部材６２とで、ターゲット配設部３又は把持部５と共に挟み込まれ、ターゲット配設部３及び把持部５に固定されている。
【００１８】
ターゲット２は、図６に矢印Ａ及び矢印Ｂで示すように、回転部４２が回転軸４４を中心として回転するのに伴い、ターゲット配設部３の上面に平行な面内で回転する。また、図７に矢印Ｃ及び矢印Ｄで示すように、固定部４１が支持軸４３を中心として回転するのに伴い、ターゲット配設部３の上面に直交する面内で回転する。
【００１９】
測量用ターゲット支持具１では、図７（ｂ）に示すように、ターゲット配設部３の上面を水平にして観測点に脚部７を立て、測量機の方向にターゲット２を向けることができる。また、測量用ターゲット支持具１では、図８（ａ）に示すように、壁面に脚部７を水平に立て、ターゲット２を測量機に向けることができる。このため、ターゲット配設部３や把持部５を壁面やブロック塀等の障害物８と干渉させることなく測定を行える。なお、図８（ａ）に示すような姿勢での測量を行う際には、長さＬ１を定数として観測距離の補正が行われる。
【００２０】
また、周囲の障害物８の位置に応じ、脚部７Ａ，７Ｂ，７Ｃを脚部７に代えて用いることもできる。先端が側方に屈曲した脚部７Ｃを用いる場合には、図８（ｂ）に示すように、ブロック塀等の障害物８の下にある僅かな隙間から観測点に脚部７Ｃの先端を配置して脚部７Ｃを水平にし、測定を行うことができる。なお、図８（ｂ）に示すような姿勢での測量を行う際には、長さＬ２を定数として観測距離の補正が行われる。
【００２１】
本実施形態によれば、ターゲット２の配設面に平行な面内とこの配設面に直交する面内とでターゲット２を水準器３２と独立して回転させることで、ターゲット２をターゲット配設部３に対し様々な角度に向けることができ、ターゲット２を取り外さずに様々な観測点で測定を行うことができる。この結果、観測点間での対辺測定も、測量機でそのまま行える。
【００２２】
また、本実施形態によれば、把持部５とターゲット配設部３とが弾塑性体で形成された連結部６で連結されており、連結部６を湾曲させて観測点の地面やブロック塀等の壁面に把持部５を当接させることで、脚部７及び把持部５の２点で測量用ターゲット支持具１を支持できることから、測量用ターゲット支持具１を一定の姿勢に容易に保持することができる。
【００２３】
また、本実施形態によれば、ターゲット配設部３の脚部確認孔３３を通して脚部７の先端の位置を確認できるので、脚部７の正確な位置決めを容易に行うことができる。
【００２４】
なお、上記実施形態では、水準器３２が気泡管で構成されている場合について説明したが、例えば角度を数値で表示する角度計等を用いても良い。また、ターゲット配設部３に対するターゲット支持部４の取付構造も任意である。また、ターゲット配設部３には脚部確認孔３３が形成されている必要はない。
【００２５】
また、図９に示すように、脚部確認孔３３の延設方向に沿って水準器３２が移動自在に配置されている構成としてもよい。水準器３２は、脚部確認孔３３の周縁部にスライド自在に嵌合又は磁石等で設置されている。この構成によれば、脚部７の先端が視認できるように、脚部確認孔３３の延設方向に沿って水準器３２を移動させることができる。
【００２６】
また、ターゲット２の配設面に平行な面内とこの配設面に直交する面内とでターゲット２を回転自在に支持するのであれば、ターゲット支持部４の構成は任意である。例えば、固定部４１及び回転部４２は平板体をコの字状に屈曲させた形状でなくてもよい。また、図１０に示すターゲット支持部４Ａのように、ターゲット配設部３に対して回転自在にターゲット２を支持してもよい。
【００２７】
図１０（ａ）はターゲット配設部３の先端側からターゲット支持部４Ａを見た図，図１０（ｂ）はターゲット配設部３の右側からターゲット支持部４Ａを見た図である。また、図１０（ｃ）はターゲット配設部３の上側からターゲット支持部４Ａを見た図，図１０（ｄ）はターゲット配設部３の右側からターゲット支持部４Ａを見た図である。
【００２８】
ターゲット支持部４Ａは、回転部４２Ａ内に固定部４１Ａを収容して構成されている。回転部４２Ａには、ターゲット２が挿通されるスリット孔４２Ａ１がスリット状に設けられている。固定部４１Ａは、球状に形成されており、ターゲット２が嵌合する嵌合孔４１Ａ１が形成されている。回転軸４４Ａの上面には、固定部４１Ａが載置される凹部４４Ａ１が球面状に形成されている。
【００２９】
ターゲット２は、図１０に矢印Ｅで示すように、回転部４２Ａが回転軸４４Ａを中心として回転するのに伴い、ターゲット配設部３の上面に平行な面内で回転する。また、図１０に矢印Ｆで示すように、固定部４１Ａが凹部４４Ａ１上を回転して、ターゲット２がスリット孔４２Ａ１内を移動するのに伴い、ターゲット配設部３の上面に直交する面内で回転する。このため、図１０（ａ），（ｂ）に示すようにターゲット２をターゲット配設部３の先端側を向いた状態や、図１０（ｃ），（ｄ）に示すように上側を向いた状態に回転させることができる。
【００３０】
ターゲット支持部４Ａでは、固定部４１Ａを磁石で形成する等することで、回転軸４４Ａの上面の凹部４４Ａ１に固定部４１Ａを吸着させ、固定部４１Ａの位置を固定することができる。
【００３１】
また、図１１に示すターゲット支持部４Ｂのように、磁石製の球体又は円柱体で形成してもよい。ターゲット支持部４Ｂは、嵌合孔４１Ｂ１にターゲット２が嵌合する。ターゲット２は、回転軸４４Ｂの上面に球面状又は円柱面状に形成された凹部４４Ｂ１上でターゲット支持部４Ｂが回転するのに伴い、回転する。
【００３２】
ターゲット支持部４Ｂは、回転軸４４Ｂの上面の凹部４４Ｂ１に吸着しているため、回転軸４４Ｂから落ちずに回転する。また、円柱状に形成されたターゲット支持部４Ｂの両端面には、支持軸４３を吸着させる等して取り付けることができる。なお、上述した例では、ターゲット支持部４Ａ，４Ｂが磁石で形成されている場合について説明したが、回転軸４４Ａ，４４Ｂが磁石で形成されていてもよい。回転軸４４Ａ，４４Ｂを磁石で形成することで、ターゲット支持部４Ａ，４Ｂを吸着させる力を強めることが可能となる。
【符号の説明】
【００３３】
１                    測量用ターゲット支持具
２                    ターゲット
３                    ターゲット配設部
３１                  取付孔
３２                  水準器
３３                  脚部確認孔
４，４Ａ，４Ｂ        ターゲット支持部
４１，４１Ａ          固定部
４１Ａ１，４１Ｂ１    嵌合孔
４２，４２Ａ          回転部
４２Ａ１              スリット孔
４２１                挿通孔
４４１                雌ネジ部
４３，４３Ａ          支持軸
４３１                ナット
４４，４４Ａ，４４Ｂ  回転軸
４４Ａ１，４４Ｂ１    凹部
５                    把持部
５１                  収納部
６                    連結部
６１                  雄ネジ部材
６２                  雌ネジ部材
７，７Ａ〜７Ｃ        脚部
７１                  雄ネジ部
８                    障害物
【図１】
0005337204.tif 000002
【図２】
0005337204.tif 000003
【図３】
0005337204.tif 000004
【図４】
0005337204.tif 000005
【図５】
0005337204.tif 000006
【図６】
0005337204.tif 000007
【図７】
0005337204.tif 000008
【図８】
0005337204.tif 000009
【図９】
0005337204.tif 000010
【図１０】
0005337204.tif 000011
【図１１】
0005337204.tif 000012